(57)【要約】      （修正有）【課題】ダウンリンク送信とアップリンク送信との間の干渉を最小に維持し、制御シグナリングを最小に保ちながら、ダイナミックＴＤＤシステムにおけるダウンリンクとアップリンクとの間の切り換えを行う方法を提供する。【解決手段】時分割複信システムにおいて、送信ノードは、末尾のシンボル間隔が利用されないサブフレームを受信ノードに送信する。サブフレームは、サブフレーム内で利用されるシンボル間隔が、通常のサブフレームより少ないということを示す情報を含むグラントメッセージを含む。受信ノードは、送信ノードからグラントメッセージが含まれるサブフレームを受信し、グラントメッセージが、受信されたサブフレーム内で利用されるシンボル間隔が通常のサブフレーム内で利用されるものより少ないということを示す情報を含むと、受信されたサブフレームを処理するときに、受信されたサブフレームの末尾の１つ又は複数のシンボルを無視する。【選択図】図１１
2019075797.tif 000002
【特許請求の範囲】
【請求項１】
所定の数のシンボル間隔を有するサブフレームにおいて送信ノードからデータを受信するように設定された受信ノードにおける方法（１１００）であって、
前記所定の数のシンボル間隔に対し、受信サブフレームが短縮されると判断すること（１１２０）と、
前記判断することに応答して、前記受信サブフレームを処理するときに前記受信サブフレームの末尾の１つ又は複数のシンボルを無視することによって、前記受信サブフレームの最後の部分を無視すること（１１３０）と、
を含む、方法（１１００）。
【請求項２】
前記受信サブフレームが短縮されると判断すること（１１２０）は、前記送信ノードから、サブフレーム短縮情報を含むメッセージを受信することを含み、前記サブフレーム短縮情報は、前記受信サブフレームが、前記所定の数のシンボル間隔に対して短縮されることを示す、請求項１に記載の方法（１１００）。
【請求項３】
前記メッセージは、前記受信サブフレームの先頭部分において送信されるグラントメッセージにおいて受信される、請求項２に記載の方法（１１００）。
【請求項４】
前記サブフレーム短縮情報は、前記受信サブフレームが所定の数のシンボルを省くことによって短縮されることを示す単一ビットからなる、請求項２又は３に記載の方法（１１００）。
【請求項５】
前記メッセージを受信する前に、前記送信ノードから設定情報を受信すること（１１１０）を更に含み、前記設定情報は、前記受信サブフレームの末尾において無視されるシンボルの数を指定する、請求項４に記載の方法（１１００）。
【請求項６】
前記サブフレーム短縮情報は、前記受信サブフレームの末尾において無視されるシンボルの数を指定する、請求項２又は３に記載の方法（１１００）。
【請求項７】
前記受信サブフレームからのデータを復号することを更に含み、前記復号することは、前記無視されたシンボルに対応する１つ又は複数のデータシンボルをパンクチャードデータシンボルとして扱うことを含む、請求項１から６のいずれか一項に記載の方法（１１００）。
【請求項８】
前記受信サブフレームから復号データを取得することを更に含み、前記取得することは、前記無視されるシンボルを省くデマッピングパターンに従って前記受信サブフレームからデータシンボルをデマッピングすることと、前記デマッピングされたデータシンボルを復号することとを含む、請求項１から６のいずれか一項に記載の方法（１１００）。
【請求項９】
前記受信サブフレームが短縮されると判断すること（１１２０）は、前記受信サブフレームに続きかつ重複する間隔において送信サブフレームが送信されるようにスケジューリングされていると判断することを含む、請求項１に記載の方法（１１００）。
【請求項１０】
所定の数のシンボル間隔を有するサブフレームにおいて受信ノードにデータを送信するように設定された送信ノードにおける方法（１２００）であって、
前記所定の数のシンボル間隔に対しサブフレームが短縮されることを示すサブフレーム短縮情報を含むメッセージを前記受信ノードに送信すること（１２２０）と、
前記サブフレームを送信するときに前記サブフレームの末尾の１つ又は複数のシンボルを省くことによって前記サブフレームを短縮すること（１２３０）と、
を含む、方法（１２００）。
【請求項１１】
前記メッセージは、前記サブフレームの第１の部分におけるグラントメッセージにおいて送信される、請求項１０に記載の方法（１２００）。
【請求項１２】
前記サブフレーム短縮情報は、前記サブフレームが所定の数のシンボルを省くことによって短縮されることを示す単一ビットからなる、請求項１０又は１１に記載の方法（１２００）。
【請求項１３】
前記メッセージを送信する前に、前記受信ノードに設定情報を送信すること（１２１０）を更に含み、前記設定情報は、前記サブフレームの末尾において省かれるシンボルの数を指定する、請求項１２に記載の方法（１２００）。
【請求項１４】
前記サブフレーム短縮情報は、前記サブフレームの末尾において省かれるシンボルの数を指定する、請求項１０又は１１に記載の方法（１２００）。
【請求項１５】
所定の数のシンボル間隔を有する受信サブフレームにおいて送信ノードからデータを受信するように設定された受信機回路（１３３０）を備え、かつ、前記受信機回路（１３３０）を制御し、前記送信ノードから受信したサブフレームを処理するように設定された処理回路（１３１０）を更に備える、受信ノード（１３００）であって、前記処理回路（１３１０）が、
前記所定の数のシンボル間隔に対し、受信サブフレームが短縮されると判断し、
前記サブフレーム短縮情報に応答して、前記受信サブフレームを処理するときに前記受信サブフレームの末尾の１つ又は複数のシンボルを無視する
ように更に設定されることを特徴とする、受信ノード（１３００）。
【請求項１６】
前記処理回路（１３１０）は、前記送信ノードから、前記受信機回路（１３３０）を介して、サブフレーム短縮情報を含むメッセージを受信することによって、前記受信サブフレームが短縮されると判断するように設定され、前記サブフレーム短縮情報は、受信サブフレームが短縮されることを示す、請求項１５に記載の受信ノード（１３００）。
【請求項１７】
前記処理回路（１３１０）は、前記受信サブフレームの先頭部分において送信されるグラントメッセージにおいて前記メッセージを受信するように設定される、請求項１６に記載の受信ノード（１３００）。
【請求項１８】
前記サブフレーム短縮情報は、前記受信サブフレームが所定の数のシンボルを省くことによって短縮されることを示す単一ビットからなる、請求項１６又は１７に記載の受信ノード（１３００）。
【請求項１９】
前記処理回路（１３１０）は、前記メッセージを受信する前に、前記受信機回路（１３３０）を介して、前記送信ノードから設定情報を受信するように更に設定され、前記設定情報は、前記受信サブフレームの末尾において無視されるシンボルの数を指定する、請求項１８に記載の受信ノード（１３００）。
【請求項２０】
前記サブフレーム短縮情報は、前記受信サブフレームの末尾において無視されるシンボルの数を指定する、請求項１６又は１７に記載の受信ノード（１３００）。
【請求項２１】
前記処理回路（１３１０）は、前記受信サブフレームからのデータを復号するように更に設定され、前記復号することは、前記無視されたシンボルに対応する１つ又は複数のデータシンボルをパンクチャードデータシンボルとして扱うことを含む、請求項１５から２０のいずれか一項に記載の受信ノード（１３００）。
【請求項２２】
前記処理回路（１３１０）は、前記受信サブフレームから復号データを取得するように更に設定され、前記取得することは、前記無視されるシンボルを省くデマッピングパターンに従って前記受信サブフレームからデータシンボルをデマッピングすることと、前記デマッピングされたデータシンボルを復号することとを含む、請求項１５から２０のいずれか一項に記載の受信ノード（１３００）。
【請求項２３】
前記処理回路（１３１０）は、前記受信サブフレームに続きかつ重複する間隔において送信サブフレームが送信されるようにスケジューリングされていると判断することによって、前記受信サブフレームが短縮されると判断するように設定される、請求項１５に記載の受信ノード（１３００）。
【請求項２４】
所定の数のシンボル間隔を有するサブフレームにおいて受信ノードにデータを送信するように設定された送信機回路（１４５５）を備え、かつ、前記送信機回路（１４５５）を制御するように設定された処理回路（１４６０）を更に備える、送信ノード（１４００）であって、前記処理回路（１４６０）が、
前記所定の数のシンボル間隔に対しサブフレームが短縮されることを示すサブフレーム短縮情報を含むメッセージを、前記送信機回路を介して前記受信ノードに送信し、
前記サブフレームを送信するときに前記サブフレームの末尾の１つ又は複数のシンボルを省くことによって前記サブフレームを短縮するように前記送信機回路を制御する
ように更に設定されることを特徴とする、送信ノード（１４００）。
【請求項２５】
前記処理回路（１４６０）は、前記サブフレームの先頭部分におけるグラントメッセージにおいて前記メッセージを送信するように前記送信機回路（１４５５）を制御するように設定される、請求項２４に記載の送信ノード（１４００）。
【請求項２６】
前記サブフレーム短縮情報は、前記サブフレームが所定の数のシンボルを省くことによって短縮されることを示す単一ビットからなる、請求項２４又は２５に記載の送信ノード（１４００）。
【請求項２７】
前記処理回路（１４６０）は、前記メッセージを送信する前に、前記送信機回路（１４５５）を介して前記受信ノードに設定情報を送信するように更に設定され、前記設定情報は、前記サブフレームの末尾において省かれるシンボルの数を指定する、請求項２６に記載の送信ノード（１４００）。
【請求項２８】
前記サブフレーム短縮情報は、前記サブフレームの末尾において省かれるシンボルの数を指定する、請求項２４又は２５に記載の送信ノード（１４００）。
【請求項２９】
所定の数のシンボル間隔を有するサブフレームにおいて送信ノードからデータを受信するように設定された受信ノードのためのコンピュータプログラムであって、前記受信ノードによって実行されると、前記受信ノードに、
前記所定の数のシンボル間隔に対し、受信サブフレームが短縮されると判断するステップと、
前記判断するステップに応答して、前記受信サブフレームを処理するときに前記受信サブフレームの末尾の１つ又は複数のシンボルを無視することによって、前記受信サブフレームの最後の部分を無視するステップと、
を実行させるコンピュータプログラムコードを含む、コンピュータプログラム。
【請求項３０】
所定の数のシンボル間隔を有するサブフレームにおいて受信ノードにデータを送信するように設定された送信ノードのためのコンピュータプログラムであって、前記送信ノードによって実行されると、前記送信ノードに、
前記所定の数のシンボル間隔に対しサブフレームが短縮されることを示すサブフレーム短縮情報を含むメッセージを前記受信ノードに送信するステップと、
前記サブフレームを送信するときに前記サブフレームの末尾の１つ又は複数のシンボルを省くことによって前記サブフレームを短縮するステップと、
を実行させるコンピュータプログラムコードを含む、コンピュータプログラム。
【請求項３１】
コンピュータプログラムが格納された非一時的コンピュータ可読媒体であって、前記コンピュータプログラムは、所定の数のシンボル間隔を有するサブフレームにおいて送信ノードからデータを受信するように設定された受信ノードによって実行されると、前記受信ノードに、
前記所定の数のシンボル間隔に対し、受信サブフレームが短縮されると判断するステップと、
前記判断するステップに応答して、前記受信サブフレームを処理するときに前記受信サブフレームの末尾の１つ又は複数のシンボルを無視することによって、前記受信サブフレームの最後の部分を無視するステップと、
を実行させるコンピュータプログラムコードを含む、非一時的コンピュータ可読媒体。
【請求項３２】
コンピュータプログラムが格納された非一時的コンピュータ可読媒体であって、前記コンピュータプログラムは、所定の数のシンボル間隔を有するサブフレームにおいて受信ノードにデータを送信するように設定された送信ノードによって実行されると、前記送信ノードに、
前記所定の数のシンボル間隔に対しサブフレームが短縮されることを示すサブフレーム短縮情報を含むメッセージを前記受信ノードに送信するステップと、
前記サブフレームを送信するときに前記サブフレームの末尾の１つ又は複数のシンボルを省くことによって前記サブフレームを短縮するステップと、
を実行させるコンピュータプログラムコードを含む、非一時的コンピュータ可読媒体。
【発明の詳細な説明】
【技術分野】
【０００１】
本明細書において開示される技術は、包括的には、無線通信システムに関し、より詳細には、時分割複信（ＴＤＤ）システムにおけるサブフレームの長さを変更する技法に関する。
【背景技術】
【０００２】
通常のセルラ無線システムにおいて、移動局及び／又はユーザ機器ユニット（ＵＥ）としても知られるエンドユーザ無線（ｒａｄｉｏ  ｏｒ  ｗｉｒｅｌｅｓｓ）端末は、無線アクセスネットワーク（ＲＡＮ）を介して１つ又は複数のコアネットワークに通信する。無線アクセスネットワーク（ＲＡＮ）はセルエリアに分割された地理的エリアをカバーし、各セルエリアは、基地局、例えば無線基地局（ＲＢＳ）によってサーブされる。基地局は、いくつかのネットワークにおいて、例えば、「ＮｏｄｅＢ」又は「ｅＮｏｄｅＢ」と呼ばれる場合もある。セルは、基地局サイトにおける無線基地局機器によって無線カバレッジが提供される地理的エリアである。各セルは、ローカル無線エリア内でＩＤによって識別される。このＩＤはセルにおいてブロードキャストされる。基地局は、無線周波数で動作するエアインタフェースを介して、基地局の範囲内のユーザ機器ユニット（ＵＥ）と通信する。
【０００３】
いくつかの無線アクセスネットワークにおいて、いくつかの基地局は、例えば、地上通信線又はマイクロ波リンクによって、無線ネットワークコントローラ（ＲＮＣ）又は基地局コントローラ（ＢＳＣ）に接続することができる。無線ネットワークコントローラは、自身に接続された複数の基地局の様々なアクティビティを監督し、調整する。無線ネットワークコントローラは通常、１つ又は複数のコアネットワークに接続される。
【０００４】
ユニバーサルモバイル電気通信システム（ＵＭＴＳ）は、モバイル通信のためのグローバルシステム（ＧＳＭ）から発展した第３世代モバイル通信システムである。ＵＴＲＡＮは、ＵＥと、ＵＴＲＡＮ規格においてＮｏｄｅＢと呼ばれる基地局との間の通信のための広帯域符号分割多重アクセス（Ｗ−ＣＤＭＡ）を用いる無線アクセスネットワークである。
【０００５】
第３世代パートナーシッププロジェクト（３ＧＰＰ）として知られるフォーラムにおいて、電気通信事業者は、包括的には第３世代ネットワーク、詳細にはＵＴＲＡＮのための規格を提案し、合意しており、無線データレート及び無線容量を向上させるための技法を研究している。３ＧＰＰは、ＵＴＲＡＮ及びＧＳＭに基づく無線アクセスネットワーク技術を更に発展させることに取り組んできた。エボルブドユニバーサル地上無線アクセスネットワーク（Ｅ−ＵＴＲＡＮ）規格のためのいくつかのリリースが発行され、規格は発展し続けている。エボルブドユニバーサル地上無線アクセスネットワーク（Ｅ−ＵＴＲＡＮ）は、Ｌｏｎｇ  Ｔｅｒｍ  Ｅｖｏｌｕｔｉｏｎ（ＬＴＥ）及びシステムアーキテクチャエボリューション（ＳＡＥ）を含む。
【０００６】
Ｌｏｎｇ  Ｔｅｒｍ  Ｅｖｏｌｕｔｉｏｎ（ＬＴＥ）は、無線基地局ノードが、無線ネットワークコントローラ（ＲＮＣ）ノードに接続されるのではなく、アクセスゲートウェイ（ＡＧＷ）を介してコアネットワークに接続される、３ＧＰＰ無線アクセス技術の一変形形態である。通常、ＬＴＥシステムにおいて、無線ネットワークコントローラ（ＲＮＣ）ノードの機能は、ＬＴＥのための規格においてｅＮｏｄｅＢと呼ばれる無線基地局と、ＡＧＷとの間で分散される。結果として、ＬＴＥシステムの無線アクセスネットワーク（ＲＡＮ）は、無線ネットワークコントローラ（ＲＮＣ）ノードに報告しない無線基地局ノードを含む、「フラット」アーキテクチャと呼ばれる場合もあるアーキテクチャを有する。
【０００７】
ノード、例えば、ＬＴＥ等のセルラシステムにおけるＵＥのような無線端末からの送信及び受信は、周波数領域若しくは時間領域、又はその組合せにおいて多重化することができる。図１の左側に示されるような周波数分割複信（ＦＤＤ）において、ダウンリンク及びアップリンク送信は、異なる、十分分離した周波数帯域において行われる。図１の右側に示すように、時分割複信（ＴＤＤ）では、ダウンリンク及びアップリンク送信は、異なる、重複していないタイムスロットにおいて行われる。このため、ＦＤＤは、ペア（paired）周波数スペクトルを必要とするのに対し、ＴＤＤは、アンペア（unpaired）周波数スペクトルで動作することができる。
【０００８】
通常、通信システムにおいて送信される信号は、ある形態のフレーム構造で編成される。例えば、図２に示すように、ＬＴＥは、無線フレームごとに１ミリ秒の長さの１０個の等しい大きさのサブフレーム０〜９を用いる。
【０００９】
図２の上側部分に示すＦＤＤ動作の場合に、アップリンク送信用の１つの周波数（ｆＵＬ）及びダウンリンク送信用の１つの周波数（ｆＤＬ）の、２つのキャリア周波数が存在する。少なくともセルラ通信システムにおける無線端末に関して、ＦＤＤは全二重又は半二重のいずれかとすることができる。全二重の場合、端末は、送信及び受信を同時に行うことができるのに対し、半二重動作の場合（図１を参照）、端末は、送信及び受信を同時に行うことができない（ただし、基地局は同時の受信／送信、すなわち、１つの端末から受信し、その間同時に別の端末に送信することが可能である）。ＬＴＥにおいて、半二重無線端末は、特定のサブフレームにおいてアップリンクで送信するように明示的に命令されるときを除いて、ダウンリンクで監視／受信を行う。
【００１０】
ＴＤＤ動作の場合（図２の下側部分に示される）、単一のキャリア周波数ＦＵＬ／ＤＬしか存在せず、アップリンク送信及びダウンリンク送信は、セル単位でも時間において分離している。アップリンク送信及びダウンリンク送信のために同じキャリア周波数が用いられるため、基地局及びモバイル端末の双方が送信から受信に、及びその逆にスイッチする必要がある。ＴＤＤシステムの重要な態様は、ダウンリンク送信もアップリンク送信も生じない十分に大きなガード時間を設けて、アップリンク送信とダウンリンク送信との間の干渉を回避することである。ＬＴＥの場合、スペシャルサブフレーム（サブフレーム１、及び場合によってはサブフレーム６に位置する）がこのガード時間を提供する。ＴＤＤスペシャルサブフレームは３つの部分、すなわち、ダウンリンク部分（ＤｗＰＴＳ）、ガード期間（ＧＰ）及びアップリンク部分（ＵｐＰＴＳ）に分割される。残りのサブフレームは、アップリンク送信又はダウンリンク送信のいずれかに配分される。
【００１１】
時分割複信（ＴＤＤ）動作は、様々ダウンリンク／アップリンク設定によって、それぞれアップリンク送信及びダウンリンク送信に配分されるリソース量の観点で様々な非対称性を可能にする。ＬＴＥにおいて、図３に示すように、７つの異なる設定が存在する。各設定は、１０ミリ秒の各無線フレームに、様々な比率のダウンリンクサブフレーム及びアップリンクサブフレームを有する。例えば、図の最上部に示す設定０は、表記「ＤＬ：ＵＬ２：３」によって示されるように、５ミリ秒の各ハーフフレームにおいて、２つのダウンリンクサブフレーム及び３つのアップリンクサブフレームを有する。設定０、１及び２は、無線フレームにおける５ミリ秒のハーフフレームの各々において同じ構成を有するのに対し、残りの設定は同じ構成を有しない。例えば、設定５は、「ＤＬ：ＵＬ９：１」によって示されるように、１つのみのアップリンクサブフレーム及び９個のダウンリンクサブフレームを有する。設定は、システムが、予期されるトラフィック負荷に最も適合する設定を選択することができるように、種々のアップリンク／ダウンリンク比を提供する。
【００１２】
異なるセル間のダウンリンク送信及びアップリンク送信間の大きな干渉を回避するために、近傍セルは同じダウンリンク／アップリンク設定を有するべきである。そうでなければ、図４に示すように、１つのセルにおける基地局２（ＢＳ２）へのアップリンク送信が、近傍セルにおける基地局１（ＢＳ１）へのダウンリンク送信と干渉する場合がある（逆もまた同様）。図４において、図において移動局１（ＭＳ１）として識別される、右側のセルにおけるＵＥのアップリンク送信が、左側のセルにおけるＵＥ（ＭＳ２）によるダウンリンク受信と干渉する。この干渉を回避するために、ダウンリンク／アップリンク非対称性は通常、セル間で変動しない。ダウンリンク／アップリンク非対称性設定は、システム情報の一部としてシグナリングされ、長期間にわたって固定のままとなる。
【００１３】
ＬＴＥでは、ダウンリンクは、直交周波数分割多重（ＯＦＤＭ）に基づくのに対し、アップリンクは、単一キャリア周波数分割多重アクセス（ＳＣ−ＦＤＭＡ）としても知られる、離散フーリエ変換拡散（ＤＦＴ−ｓｐｒｅａｄ）ＯＦＤＭに基づく。詳細は、ｗｗｗ．３ｇｐｐ．ｏｒｇにおいて入手可能な、３ＧＰＰ文書「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；Ｐｈｙｓｉｃａｌ  ｃｈａｎｎｅｌｓ  ａｎｄ  ｍｏｄｕｌａｔｉｏｎ」３ＧＰＰＴＳ３６．２１１、Ｖ１１．３．０において得ることができる。双方の場合の送信時間間隔（ＴＴＩ）は１ミリ秒のサブフレームに等しく、ダウンリンクにおける１４個のＯＦＤＭシンボル間隔及びアップリンクにおける１４個のＳＣ−ＦＤＭＡシンボル間隔で構成され、通常の長さの再クリックプレフィックスを与えられる。これらのシンボル間隔で送信されるＯＦＤＭ及びＳＣ−ＦＤＭＡシンボルの部分は、物理ダウンリンク共有チャネル（ＰＤＳＣＨ）及び物理アップリンク共有チャネル（ＰＵＳＣＨ）と呼ばれる物理チャネルにおいてユーザデータを搬送するのに用いられる。未来の無線通信システムでは、サブフレームの長さは、ユーザデータ遅延を低減するために大幅に低減され得る。更に、未来の無線システムでは、ダウンリンク及びアップリンクの双方がＯＦＤＭに基づき得る。
【００１４】
現在の無線システムの進化及び未来の無線通信システムの発展のための重要な優先事項は、特にスモールセルのシナリオに適用されるときの、ビットレートをより高くし、遅延をより短くすることである。より高いビットレートは、例えば、広帯域スペクトルリソースが利用可能である、より高いキャリア周波数を用いることによって達成することができる。また、ＴＤＤ（時分割複信）がますます多くの関心を集めている。ダイナミックＴＤＤシステム、すなわち、ＴＤＤ設定が必ずしもフレーム間でスタティックでないシステムでは、ダウンリンク（ｅＮｏｄｅＢからＵＥ）及びアップリンク（ＵＥからｅＮｏｄｅＢ）に用いられる複数の間隔間で関係を適応的に変更することによって、ダウンリンクビットレート又はアップリンクビットレートを瞬時に増大させることができる。スモールセル内では伝播遅延が小さいので、ダウンリンクからアップリンクにスイッチするときに小さなガード期間を用いることができる。したがって、ダウンリンク送信とアップリンク送信との間の最小の干渉を維持し、制御シグナリングを最小に保ちながら、ダイナミックＴＤＤシステムにおけるダウンリンクとアップリンクとの間の切り換えを行うための改善された技法が必要とされている。
【発明の概要】
【００１５】
時分割複信（ＴＤＤ）におけるアップリンクとダウンリンクとの間の固定の関係により、結果として、無線リソースの利用に柔軟性がなくなる。ダイナミックＴＤＤシステムは、これらのリソースのより柔軟な利用を可能にする。本発明の様々な実施形態において、ダウンリンクサブフレームを短縮することによって、アップリンクサブフレームとダウンリンクサブフレームとの間でスイッチするためのガード期間が作成される。これは、ダウンリンクサブフレーム送信間隔の末尾の１つ又は複数のシンボルを省くことによって、すなわち、サブフレーム間隔の末尾の１つ又は複数のシンボル間隔中に送信を行わないことによって行われる。シグナリングは、ＵＥに送信されるダウンリンクグラントメッセージに含まれる。シグナリングは、ＵＥに、ダウンリンクサブフレームが、通常のサブフレームよりも１つ又はいくつかのＯＦＤＭ（又はＳＣ−ＦＤＭＡ）シンボル分だけ短いことを示す。ここで、このサブフレームの送信は、通常のサブフレームと比較して、１つ又はいくつかのＯＦＤＭ（又はＳＣ−ＦＤＭＡ）シンボル間隔分だけ早く終了する。
【００１６】
アップリンクがＵＥからｅＮｏｄｅＢへの送信に対応するＬＴＥシステムとの関連でいくつかの実施形態が以下で説明されるが、開示される技法は、他の無線システムに適用されてもよく、必ずしもＬＴＥのｅＮｏｄｅＢとＵＥとの間の特定の階層構成に依拠しないことが理解されるべきである。
【００１７】
したがって、本明細書に開示する技法による１つの例示的な方法は、規定されたサブフレーム間隔において生じ、所定の数のシンボル間隔を有するサブフレームにおいて送信ノードからデータを受信するように設定された受信ノードにおける実施に適している。ＬＴＥシステムでは、この受信ノードはＵＥとすることができ、サブフレームはダウンリンクサブフレームである。この例示的な方法は、所定の数のシンボル間隔に対し、受信サブフレームが短縮されると判断することと、この判断に応答して、受信サブフレームを処理するときに受信サブフレームの末尾の１つ又は複数のシンボルを無視することによって、受信サブフレームの最後の部分を無視することを含む。
【００１８】
いくつかの実施形態では、受信ノードは、送信ノードから、サブフレーム短縮情報を含むメッセージを受信することによって、受信サブフレームが短縮されると判断し、サブフレーム短縮情報は、受信サブフレームが短縮されることを示す。受信サブフレームの先頭部分において送信されるグラントメッセージにおいて受信することができるサブフレーム短縮情報は、例えば、受信サブフレームが所定の数のシンボルを省くことによって短縮されることを示す単一ビットからなることもできるし、受信サブフレームの末尾において無視されるシンボルの数を示す複数のビットを含むこともできる。他の実施形態又は他の実例では、受信ノードは、送信ノードからの明示的なシグナリングなしで、例えば、受信サブフレームに続きかつ重複する間隔において送信サブフレームが送信されるようにスケジューリングされていると判断することによって、受信サブフレームが短縮されると判断することができる。
【００１９】
別の例示的な方法は、規定されたサブフレーム間隔において生じ、所定の持続時間、例えば、所定の数のシンボルを有するサブフレームにおいて受信ノードにデータを送信するように設定された送信ノードにおける実施に適している。ＬＴＥシステムでは、このノードはＬＴＥ  ｅＮｏｄｅＢとすることができ、ここでもサブフレームはダウンリンクサブフレームである。この例示的な方法は、サブフレーム短縮情報を含むメッセージを受信ノードに送信することを含み、サブフレーム短縮情報は、所定の数のシンボル間隔に対し、サブフレームが短縮されることを示す。本方法は、サブフレームを送信するときにサブフレームの末尾の１つ又は複数のシンボルを省くことによってサブフレームを短縮することを更に含む。このサブフレーム短縮情報は、サブフレームの第１の部分におけるグラントメッセージにおいて送信することができ、サブフレームの末尾から所定の数のシンボルを省くことによってサブフレームが短縮されることを示す単一ビットからなることもできるし、サブフレームから省かれる特定の数のシンボルを示す複数のビットを含むこともできる。
【００２０】
対応する装置、すなわち、上記で要約した方法のうちの１つ又は複数を実行するように設定される受信ノード及び送信ノードも以下に続く記載において詳細に説明される。
【００２１】
当然ながら、本発明は、上記の特徴及び利点に限定されない。実際、当業者は、以下の詳細な説明を読み、添付の図面を見れば、更なる特徴及び利点を認識するであろう。
【図面の簡単な説明】
【００２２】
【図１】周波数分割複信、半二重周波数分割及び時分割複信による送信を示す。
【図２】周波数分割複信（ＦＤＤ）及び時分割複信（ＴＤＤ）の場合の、ＬＴＥのためのアップリンク／ダウンリンクの時間／周波数構造を示す。
【図３】Ｌｏｎｇ  Ｔｅｒｍ  Ｅｖｏｌｕｔｉｏｎ（ＬＴＥ）における時分割複信（ＴＤＤ）のための７つの異なるダウンリンク／アップリンク設定の例を示す図である。
【図４】時分割複信（ＴＤＤ）におけるアップリンク／ダウンリンク（ＵＬ／ＤＬ）干渉の一例を示す。
【図５】複数のユーザ機器（ＵＥ）を含む例示的なＬＴＥネットワークの一部を示す。
【図６】ＴＤＤシステムにおけるダウンリンク及びアップリンクのタイミングを示す。
【図７】３ＧＰＰ仕様によるアップリンク−ダウンリンク設定を示す。
【図８】３ＧＰＰによって指定されるような、フレーム構造タイプ２（５ミリ秒のスイッチポイント周期）の詳細を示す。
【図９】ダウンリンクサブフレームの後のアップリンクＯＦＤＭシンボルの短縮を示す。
【図１０】アップリンクサブフレームの前のダウンリンクサブフレームの短縮を示す。
【図１１】現在開示されている技法による例示的な方法を示すプロセスフロー図である。
【図１２】別の例示的な方法を示すプロセスフロー図である。
【図１３】例示的なユーザ機器のコンポーネントを示すブロック図である。
【図１４】例示的な基地局を示すブロック図である。
【発明を実施するための形態】
【００２３】
以下の論考において、限定ではなく説明の目的で、本発明の特定の実施形態の具体的な詳細が示される。これらの具体的な詳細から離れて、他の実施形態が用いられ得ることが当業者によって理解されよう。更に、いくつかの実例では、よく知られた方法、ノード、インタフェース、回路及びデバイスの詳細な説明は、不要な詳細により説明を不明瞭にしないように省かれる。当業者は、説明される機能が、１つ又はいくつかのノードにおいて実施され得ることを理解するであろう。説明される機能のうちのいくつか又は全ては、特殊な機能を行うように相互接続されたアナログ及び／又はディスクリート論理ゲート（ＡＳＩＣ、ＰＬＡ等）のハードウェア回路部を用いて実装され得る。同様に、機能のうちのいくつか又は全ては、１つ又は複数のデジタルマイクロプロセッサ又は汎用コンピュータと組み合わせてソフトウェアプログラム及びデータを用いて実施され得る。エアインタフェースを用いて通信するノードが記載されているが、これらのノードは適切な無線通信回路部も有することが理解されよう。更に、本明細書に記載される技法をプロセッサに実行させる適切なコンピュータ命令セットを含む、ソリッドステートメモリ、磁気ディスク、又は光ディスク等の非一時的実施形態を含めた、任意の形態のコンピュータ可読メモリに完全に埋め込まれるための技術を更に検討することができる。
【００２４】
本発明のハードウェア実施態様は、限定ではないが、デジタル信号プロセッサ（ＤＳＰ）ハードウェア、低減メモリセットプロセッサ、ハードウェア（例えば、デジタル又はアナログ）回路部を含むか又は包含することができ、ハードウェア回路部は、限定ではないが、特定用途向け集積回路（ＡＳＩＣ）及び／又はフィールドプログラマブルゲートアレイ（ＦＰＧＡ）及び（適切な場合）そのような機能を実行することが可能な状態マシンを含む。
【００２５】
コンピュータ実装の観点で、コンピュータは通常、１つ若しくは複数のプロセッサ又は１つ若しくは複数のコントローラを含むように理解され、コンピュータ、プロセッサ及びコントローラという用語は、交換可能に用いることができる。コンピュータ、プロセッサ、又はコントローラによって提供されるとき、機能は、単一の専用コンピュータ若しくはプロセッサ若しくはコントローラによって、単一の共有コンピュータ若しくはプロセッサ若しくはコントローラによって、又は一部を共有若しくは分散することができる複数の個々のコンピュータ若しくはプロセッサ若しくはコントローラによって提供することができる。更に、「プロセッサ」又は「コントローラ」という用語は、このような機能を実行及び／又はソフトウェアを実行することが可能な、上記で記載した例示的なハードウェア等の他のハードウェアも指す。
【００２６】
ここで図面を参照すると、図５は、無線通信サービスをモバイル端末１００に提供するための例示的なモバイル通信ネットワークを示す。３ＧＰＰの用語において、「ユーザ機器」又は「ＵＥ」と呼ばれる３つのモバイル端末１００が図５に示されている。モバイル端末１００は、例えば、携帯電話、携帯情報端末、スマートフォン、ラップトップコンピュータ、ハンドヘルドコンピュータ、マシンタイプ通信／マシンツーマシン（ＭＴＣ／Ｍ２Ｍ）デバイス、又は無線通信機能を有する他のデバイスを含むことができる。「モバイル端末」という用語は、本明細書において用いられるとき、モバイル通信ネットワークにおいて動作している端末を指し、必ずしも、端末自体が移動性又は移動可能であることを意味していないことに留意するべきである。このため、この用語は、本明細書において用いられるとき、「無線デバイス」という用語と交換可能であることが理解されるべきであり、ある特定のマシンツーマシン用途等における固定設定で設置される端末、及びポータブルデバイス、自動車に設置されるデバイス等を指すことができる。
【００２７】
モバイル通信ネットワークは、複数の地理的セルエリア又はセクター１２を備える。各地理的セルエリア又はセクター１２は基地局２０によってサーブされる。基地局２０は、正式にはエボルブドユニバーサル地上無線アクセスネットワーク（Ｅ−ＵＴＲＡＮ）として知られるＬＴＥ無線アクセスネットワークとの関連で、ｅＮｏｄｅＢと呼ばれる。１つの基地局２０は、複数の地理的セルエリア又はセクター１２においてサービングすることができる。モバイル端末１００は、１つ又は複数のダウンリンク（ＤＬ）チャネルにおいて基地局２０から信号を受信し、１つ又は複数のアップリンク（ＵＬ）チャネルにおいて基地局２０に信号を送信する。
【００２８】
ＬＴＥネットワークにおいて、基地局２０はｅＮｏｄｅＢであり、Ｘ２インタフェース（図示せず）を介して１つ又は複数の他のｅＮｏｄｅＢに接続することができる。ｅＮｏｄｅＢは、Ｓ１−ＭＭＥインタフェースを介してＭＭＥ１３０にも接続し、サービングゲートウェイ（図示せず）等の１つ又は複数の他のネットワークノードに接続することができる。
【００２９】
例示の目的で、本発明のいくつかの実施形態をＥ−ＵＴＲＡＮシステムとの関連で説明する。しかしながら、当業者は、本発明のいくつかの実施形態が、より包括的に他の無線通信システムに適用可能であり得ることを理解するであろう。
【００３０】
上記で検討したように、ＴＤＤ（時分割複信）システムでは、ダウンリンク及びアップリンクの双方のために同じ周波数が用いられる。このとき、全二重動作が可能でないことを仮定すると、ＵＥ及びｅＮｏｄｅＢの双方が送信と受信との間で切り換えなくてはならない。ダウンリンクとアップリンクとの間のタイミングの図が図６に与えられている。図６は、時間に対する、ＵＥ及びｅＮｏｄｅＢの双方におけるサブフレームの送信時間及び受信時間を示す。これは、ＯＦＤＭ（又はＳＣ−ＦＤＭＡ）シンボルインデックスの観点で測定することができる。ＵＥがｅＮｏｄｅＢのカバレッジエリアを動き回るにつれ変動する場合がある伝播遅延に起因して、ｅＮｏｄｅＢによって送信されるダウンリンクサブフレームは、遅延後にＵＥにおいて受信される。ＵＥ受信機における高速フーリエ変換（ＦＦＴ）ウィンドウは、サブフレームのデータ部分が完全にＦＦＴウィンドウ内に入る一方で、サブフレームのサイクリックプレフィックス（ＣＰ）部分がＦＦＴウィンドウエッジと重複することができるように、受信サブフレームに位置合わせされる。ＵＥによって送信されるアップリンクサブフレームは、受信モードから送信モードへのＵＥスイッチ時間が完了して初めて送信されることが可能となり、伝播遅延後にｅＮｏｄｅＢにおいて受信される。ＵＥ送信のタイミングは、複数のＵＥからの連続アップリンクサブフレームのデータ搬送部分が互いに重複せず、ｅＮｏｄｅＢ受信機のＦＦＴウィンドウ内に入るように、ｅＮｏｄｅＢによって制御される。ここでもまた、サイクリックプレフィックス（ＣＰ）を含むサブフレームの部分は、ｅＮｏｄｅＢ  ＦＦＴウィンドウのエッジと重複することができる。
【００３１】
アップリンクサブフレーム及びダウンリンクサブフレームの固定の配分がＬＴＥのリリース１１において用いられ、ｗｗｗ．３ｇｐｐ．ｏｒｇにおいて入手可能な「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；Ｐｈｙｓｉｃａｌ  ｃｈａｎｎｅｌｓ  ａｎｄ  ｍｏｄｕｌａｔｉｏｎ」３ＧＰＰＴＳ３６．２１１、Ｖ１１．３．０において規定されている。次に、図７に示すように、いくつかの予め規定された配分が指定される。図７には、５ミリ秒又は１０ミリ秒のそれぞれの周期（periodicity）と共に、アップリンク−ダウンリンク設定０〜６が示される。図７に示すチャートでは、サブフレーム番号０〜９の各々が、それぞれダウンリンク、アップリンク及びスペシャルサブフレームに対応して、「Ｄ」、「Ｕ」又は「Ｓ」サブフレームとして示される。スペシャルサブフレームは、連続したダウンリンクサブフレームとアップリンクサブフレームとの間に挿入される。スペシャルサブフレームの詳細が図８に示される。スペシャルサブフレームは、ダウンリンク及びアップリンクの双方についてＯＦＤＭ及びＳＣ−ＦＤＭＡシンボルを含み、これらの間にそれぞれガード期間を有する。このガード期間は、図６に示すように、アップリンクシンボルがｅＮｏｄｅＢのＦＦＴウィンドウ内で受信されるように、タイミングアドバンスを用いて送信するために、ＵＥによって用いられる。ガード期間は、ｅＮｏｄｅＢ及びＵＥの送受信回路部が、ダウンリンクモードからアップリンクモードへスイッチするための時間も提供する。
【００３２】
ダイナミックＴＤＤシステムでは、ダウンリンクサブフレームの数とアップリンクサブフレームの数との間の関係は、図７に示すセミスタティック設定に従って固定されるのではなく、現在の需要に応じて柔軟に設定することができる。例えば、ＵＥは、所与のサブフレームにおいて送信することを明確に命令されない限り、全てのサブフレームをダウンリンクサブフレームとして扱うことができる。ダイナミックＴＤＤに対するこの手法は、参照により内容全体が本明細書に援用される、２０１１年６月２３日に公開された、「Ｆｌｅｘｉｂｌｅ  Ｓｕｂｆｒａｍｅｓ」と題する米国特許出願公開第２０１１／０１４９８１３号Ａ１に記載されている。ダイナミックＴＤＤが用いられるとき、ｅＮｏｄｅＢは、いつどのように受信することがスケジューリングされているか（すなわち、ダウンリンクアサインメント）、及びいつどのようにアップリンクにおいて送信するか（すなわち、アップリンクグラント）を示す制御信号をＵＥに送信する。ＬＴＥにおいて、この制御シグナリングは、物理ダウンリンク制御チャネル（ＰＤＣＣＨ）又はエンハンスト物理ダウンリンク制御チャネル（ＥＰＤＣＣＨ）のいずれかによって搬送することができる。ダウンリンクアサインメントは、ユーザデータが送信されるのと同じサブフレームで送信されるのに対し、アップリンクグラントは、ＵＥがアップリンクで送信するようにスケジューリングされるサブフレームの数サブフレーム前に送信される。
【００３３】
アップリンクとダウンリンクとの間の固定の関係により、結果として、無線リソースの利用に柔軟性がなくなる。一方、ダイナミックＴＤＤを用いると、全てのＵＥがそれぞれダウンリンクサブフレーム及びアップリンクサブフレームとして用いられるサブフレームを認識しなくてはならない場合に、制御シグナリングの量が大幅に増大し得る。更に、ダイナミックＴＤＤでは、連続したダウンリンクサブフレームとアップリンクサブフレームとの間に、ＵＥ回路部がダウンリンクモードからアップリンクモードにスイッチすることを可能にするガード期間が必要である。
【００３４】
ガード期間は、アップリンクサブフレームにおいて１つ又はいくつかのＯＦＤＭシンボルを省くことによって作成することができる。この手法に従って、基地局は、ＵＬグラントに、ＵＥが、通常のサブフレームよりも１つ又はいくつかのＯＦＤＭ（又はＳＣ−ＦＤＭＡ）シンボル分だけ短いサブフレームを送信するべきであることを示すシグナリングを含み、ここで、このサブフレームの送信は、通常のサブフレームよりも、１つ又はいくつかのＯＦＤＭ（又はＳＣ−ＦＤＭＡ）シンボル間隔分だけ後に開始する。
【００３５】
この後者の手法に従うサブフレームタイミングが図９に示される。図９において、一連のサブフレームが柔軟にスケジューリングされており、１つのサブフレームがアップリンクでの使用のためにスケジューリングされ、他の２つがダウンリンクでの使用のためにスケジューリングされ、残りのサブフレームはスケジューリングされていない。アップリンクグラントは、サブフレームｎ（図９ではｎ＝５）においてダウンリンクで送信され、ＵＥが、サブフレームｎ＋ｇ（図９ではｇ＝５）においてアップリンクで送信することを示す。ｅＮｏｄｅＢがサブフレームｎ＋ｇ−１（サブフレーム９）においてダウンリンクで送信する場合、ＵＥは、アップリンクサブフレームｎ＋ｇ（図９ではサブフレーム１０）の送信の先頭から、１つ又はいくつかのＯＦＤＭ（又はＳＣ−ＦＤＭＡ）シンボルを省いて、短いガード期間を作成しなくてはならない。このため、ＵＥがアップリンクサブフレームの送信の先頭から１つ又は複数のシンボルを省く必要があることをＵＥに示す「サブフレーム短縮メッセージ」がアップリンクグラントに含められる。図９の最下部に示すように、アップリンクサブフレームは、０〜１３でナンバリングされた１４個のシンボル間隔を含むサブフレーム間隔に及ぶ。これらのシンボル間隔の各々は、通常、ＯＦＤＭ（又はＳＣ−ＦＤＭＡ）シンボルを搬送する。一方、ＯＦＤＭシンボルは、サブフレーム間隔の先頭において１つ又は複数のシンボル間隔から省くことができる。図９に示す例において、サブフレーム間隔の先頭において２つのＯＦＤＭシンボルを省くことによってガード期間が作成される。
【００３６】
別の手法は、ダウンリンクサブフレーム送信の末尾から１つ又は複数のシンボルを省くことによってガード期間を作成することである。冗長符号化を利用するシステムにおいて、受信側のＵＥは、これらの省かれたＯＦＤＭシンボルを、「パンクチャード」シンボルとして扱い、通常の復号技法を用いて、これらのシンボルによって通常であれば搬送されたデータを再構成する。代替的に、受信側のＵＥは、データを搬送していないシンボル間隔に対処している間、サブフレームの残りの部分におけるデータを復号することができる。いずれの場合にも、ガード期間がダウンリンクにおける１つ又はいくつかのＯＦＤＭシンボルを省くことによって作成される場合、ｅＮｏｄｅＢは、サブフレームの最後のＯＦＤＭシンボルが省かれ、このためＵＥによって無視されるべきであることを示す制御メッセージを全てのＵＥに送信する必要がある。このため、この手法によれば、ダウンリンクグラントにシグナリングが含められ、このシグナリングは、ｅＮｏｄｅＢが、通常のサブフレームよりも１つ又はいくつかのＯＦＤＭ（又はＳＣ−ＦＤＭＡ）シンボル分だけ短いサブフレームを送信していることを示し、ここで、このサブフレームの送信は、通常のサブフレームの場合よりも１つ又はいくつかのＯＦＤＭ（又はＳＣ−ＦＤＭＡ）シンボル間隔分だけ早く終了する。このインジケーションは、このサブフレームのためにスケジューリングされた全てのＵＥにシグナリングされる必要があることに留意されたい。
【００３７】
ＵＥが、最後のＯＦＤＭシンボルのうちの１つ又はいくつかが省かれたか否かをブラインド検出することができることに留意されたい。一方、ＵＥが互いに十分離れていない場合、別のＵＥがこれらの最後のダウンリンクＯＦＤＭシンボル中にアップリンクで送信し、干渉を引き起こす場合がある。この干渉の結果、ＯＦＤＭシンボルの省略の検出の信頼性がなくなり、性能低下を引き起こし得る。
【００３８】
図１０は、ダウンリンクに適用されるサブフレーム短縮手法を示す。アップリンクグラントが、サブフレームｎ（図１０ではｎ＝５）においてダウンリンクで送信され、第１のＵＥが、サブフレームｎ＋ｇ（図１０ではｇ＝５）においてアップリンクで送信することを示す。ｅＮｏｄｅＢは、サブフレームｎ＋ｇ−１（サブフレーム９）においてダウンリンクで送信し、その結果、ダウンリンクサブフレーム９の送信の末尾から、１つ又はいくつかのＯＦＤＭ（又はＳＣ−ＦＤＭＡ）シンボルを省く。このため、ダウンリンクサブフレームのためにスケジューリングされた１つ又は複数のＵＥに、ダウンリンクサブフレーム送信の末尾から１つ又は複数のシンボルが省かれることを示す、「サブフレーム短縮メッセージ」が、ダウンリンクサブフレーム９においてダウンリンクグラントに含められる。短縮サブフレームを受信するようにスケジューリングされた１つ又は複数のＵＥは、次のサブフレームにおいて受信するようにスケジューリングされた１つ又は複数のＵＥと異なる場合があることに留意されたい。
【００３９】
図１０の最下部に、短縮ダウンリンクサブフレームの詳細が示される。図９に示すアップリンクサブフレームのように、図１０に示すダウンリンクサブフレームは、０〜１３でナンバリングされた１４個のシンボル間隔を含むサブフレーム間隔に及ぶ。これらのシンボル間隔の各々は、通常、ＯＦＤＭ（又はＳＣ−ＦＤＭＡ）シンボルを搬送する。短縮ダウンリンクサブフレームでは、ＯＦＤＭシンボルを、サブフレーム間隔の末尾において１つ又は複数のシンボル間隔から省くことができ、これによってガード期間が作成される。図１０に示す例では、サブフレーム間隔の末尾において２つのＯＦＤＭシンボルを省くことによってガード期間が作成される。
【００４０】
いくつかの実施形態では、ダウンリンクグラント内のサブフレーム短縮メッセージは、ダウンリンク送信の最終ＯＦＤＭ（又はＳＣ−ＦＤＭＡ）シンボルが省かれるか否かをシグナリングする単一のビットのみを含む。これらの実施形態では、ＵＥは、サブフレーム短縮メッセージが受信される場合に無視するシンボルの所定の数を、ハードプログラミングによって、又は例えばＲＣＣシグナリングによってセミスタティックに、事前に設定することができる。サブフレーム短縮メッセージが、省略されるＯＦＤＭ（又はＳＣ−ＦＤＭＡ）シンボルの数を明示的に示す、幾分柔軟なフォーマットも使用することができる。この手法では、ラウンドトリップタイムが小さい場合、１つのＯＦＤＭ（又はＳＣ−ＦＤＭＡ）シンボルのみを省けばよい一方、大きなラウンドトリップタイムでは、ｅＮｏｄｅＢがＵＥのために複数のＯＦＤＭシンボルを省く必要がある場合がある。いくつかの実施形態では、ｅＮｏｄｅＢは、セルの大きさに基づいて、常に同じインジケーションを用いるように設定することができる。他の実施形態では、ｅＮｏｄｅＢにおいてＵＥごとのラウンドトリップタイムを推定し、継続的に追跡し、個々のＵＥごとに、ラウンドトリップタイムに対しサブフレーム短縮メッセージを適合させることができるようにする。
【００４１】
例えば、サブフレーム短縮メッセージのために２ビットが用いられると仮定する。この例では、ビットシーケンス「００」を用いて、ダウンリンクＯＦＤＭ（又はＳＣ−ＦＤＭＡ）シンボルの省略が行われないことをシグナリングすることができる。シーケンス「０１」は、１つのＯＦＤＭ（又はＳＣ−ＦＤＭＡ）シンボルが省かれることを示すのに用いることができ、シーケンス「１０」は、２つのＯＦＤＭ（又はＳＣ−ＦＤＭＡ）シンボルが省かれることを示すのに対し、シーケンス「１１」は、３つのＯＦＤＭ（又はＳＣ−ＦＤＭＡ）シンボルの省略を示す。代替的に、サブフレーム短縮メッセージのビットによって示されるような、省かれるＯＦＤＭシンボルの数は、上位層によってセミスタティックに設定することができる。
【００４２】
ダウンリンクグラントは、いくつかのサブフレームのためのグラントを含むことができることが理解されよう。これらのダウンリンクサブフレームが連続している場合、サブフレーム短縮に関するシグナリングは、同時にスケジューリングされたサブフレームの最後のサブフレームについてのみ必要とされる。
【００４３】
更に、ダイナミックＴＤＤシステムは、アップリンクについて固定され、このためダウンリンクのために決して用いられないいくつかのサブフレームを用いて設定され得る。これらの固定のアップリンクサブフレームのうちの１つ又は複数は、ＵＥのマルチサブフレームダウンリンクグラント内部で生じ得る。この場合、ＵＥは、固定アップリンクサブフレームの間受信することができないが、その後継続することができる。ここで、ＵＥは、自身のダウンリンクグラントに従って全ての残りのサブフレームを受信することに進むこともできるし、グラント内のサブフレームのうちの１つを、固定アップリンクサブフレームによって「パンクチャード」とみなすこともでき、これによって総ダウンリンク送信は、効果的には、ダウンリンクグラントによって示されるよりも１サブフレーム少ないサブフレームを含む。いずれの場合であっても、ＵＥは、固定されたアップリンクサブフレームに先行するサブフレームの１つ又はいくつかのＯＦＤＭ（又はＳＣ−ＦＤＭＡ）シンボルを無視することを知らなくてはならない。ＵＥは既にこの固定アップリンクサブフレームを認識しているため、このサブフレーム短縮の必要性をＵＥにシグナリングする必要はない。サブフレームの柔軟な短縮が用いられる場合、省かれるＯＦＤＭ（又はＳＣ−ＦＤＭＡ）シンボルのデフォルトの量を用いることができる。代替的に、特定のＵＥへのダウンリンクグラント内で最後に受信したサブフレーム短縮メッセージによるサブフレーム短縮も仮定することができる。
【００４４】
上記で、ＬＴＥシステムとの関連で、短縮サブフレームを送信及び受信するための様々な技法が説明された。一方、これらの技法は、より包括的には、無線ノード間のＴＤＤ無線リンクに適用可能であり、ＬＴＥシステムにおいて見られるようなＵＥと基地局との関係を有する無線ノードに依拠しないことを理解するべきである。このため、図１１は、無線ノード、すなわち、規定されたサブフレーム間隔において生じ、所定の長さを有するサブフレームにおいてデータを受信するように設定された受信ノードにおいて実施するのに適した方法１１００を示す。この方法がＬＴＥとの関連で実施される場合、この受信ノードは、ｅＮｏｄｅＢと通信するＵＥとすることができる。
【００４５】
ブロック１１１０に示すように、例示される方法は、送信ノードから設定情報を受信することから開始することができ、この設定情報は、短縮サブフレームが送信される場合にダウンリンクサブフレームから省かれるシンボルの所定の数を指定する。図１１において、この動作は破線の輪郭を用いて示され、この動作が、例示される方法の全ての実施形態又は全ての実例において存在するわけではないことを示す。
【００４６】
ブロック１１２０に示されるように、例示される方法は、所定の長さに対し、例えば所定の数のシンボル間隔に対し、受信サブフレームが短縮されると判断することを含む。上記で検討したように、これは、いくつかの実施形態又はいくつかの実例において、サブフレーム短縮情報を含む、ダウンリンクグラントメッセージ等のメッセージを受信することによって行うことができる。一方、他の実施形態又は他の実例では、受信ノードは、固定のアップリンクサブフレームが後に続き、受信サブフレームと重複すると判断することによって、受信サブフレームが短縮されると判断することができる。
【００４７】
ブロック１１３０に示すように、本方法は、受信サブフレームが短縮されるという判断に応じて、受信サブフレームの最後の部分を無視することによって継続する。いくつかの実施形態では、サブフレームの所定の持続時間は、所定の数のシンボル間隔であり、この場合、受信サブフレームの最後の部分を無視することは、受信サブフレームの末尾の１つ又は複数のシンボル間隔を無視することを含む。これらの用語が本明細書において用いられるとき、サブフレーム間隔は、特定の数（例えば、１４個）のシンボル間隔からなり、これらのシンボル間隔の各々が、通常、送信シンボルを搬送することに留意されたい。サブフレームが短縮されているとき、サブフレーム間隔のうちの１つ又は複数は送信シンボルを搬送しない。
【００４８】
上述したように、受信サブフレームが短縮されると判断することは、送信ノードから、サブフレーム短縮情報を含むメッセージを受信することを含み、このサブフレーム短縮情報は、受信サブフレームが短縮されることを示す。いくつかの実施形態では、メッセージは、受信サブフレームの第１の部分におけるグラントメッセージにおいて受信される。いくつかの実施形態では、サブフレーム短縮情報は、受信サブフレームが、サブフレームの末尾において所定の数のシンボルを省くことによって短縮されることを示す単一ビットからなる。これらの実施形態のうちのいくつかでは、ブロック１１１０に示すように、受信ノードは、グラントメッセージを受信する前に、送信ノードから設定情報を受信し、この設定情報は、所定の数を指定する。他の実施形態では、送信ノードから受信されるサブフレーム短縮情報は、受信サブフレームの末尾から省かれるシンボルの数を指定する。
【００４９】
いくつかの実施形態では、受信ノードは、サブフレーム間隔の末尾の１つ又は複数の省かれるシンボルをパンクチャードデータとして扱うことによって、受信サブフレームからのデータを復号する。元のデータが、従来の冗長性コーディング技法を用いて符号化された場合、このパンクチャードデータは、従来の復号アルゴリズムを用いて再構成することができる。他の実施形態では、受信ノードは、サブフレーム間隔の末尾の省かれるシンボル間隔を無視するデマッピングパターンに従って受信サブフレームからデータシンボルをデマッピング（de-mapping）し、デマッピングされたデータシンボルを復号することによって、第１の短縮サブフレームから復号データを取得する。
【００５０】
図１２は、図１１に対応する受信ノードからのリンクの他端において、無線ノードにおいて実施される方法１２００を示す。このため、図１２に例示する方法は、規定されたサブフレーム間隔において生じ、所定の持続時間、例えば所定の数のシンボル間隔を有するサブフレームにおいてデータを送信するように設定された送信ノードにおいて実施するのに適している。ＬＴＥとの関連において、この送信ノードはｅＮｏｄｅＢとすることができる。
【００５１】
ブロック１２１０に示すように、例示される方法は、設定情報を受信ノードに送信することから開始することができ、この設定情報は、短縮ダウンリンクサブフレームが送信される場合にダウンリンクサブフレームから省かれるシンボルの所定の数を指定する。図１２において、この動作は破線の輪郭を用いて示され、この動作が、例示される方法の全ての実施形態又は全ての実例において存在するわけではないことを示す。
【００５２】
ブロック１２２０に示すように、例示される方法は、受信ノードにサブフレーム短縮情報を含むメッセージを送信することを含み、このサブフレーム短縮情報は、サブフレーム間隔中に送信ノードによって送信されるサブフレームが短縮されることを示す。ＬＴＥとの関連において、この受信ノードは、例えばＵＥである。いくつかの実施形態において、メッセージは、サブフレームの第１の部分におけるグラントメッセージにおいて送信される。
【００５３】
ブロック１２３０に示すように、本方法は、サブフレームを送信するときに、サブフレームの末尾部分を省くことによってサブフレームを短縮することに続く。いくつかの実施形態では、サブフレームの持続時間は、所定の数のシンボル間隔であり、この場合、サブフレームを送信するときにサブフレームの第１の部分を省くことは、サブフレームの末尾において１つ又は複数のシンボルを省くことを含む。
【００５４】
いくつかの実施形態では、受信ノードに送信されるサブフレーム短縮情報は、サブフレームの末尾から省かれるシンボルの数を指定する。他の実施形態では、サブフレーム短縮情報は代わりに、サブフレームが、サブフレームの末尾から所定の数のシンボルを省くことによって短縮されていることを示す単一のビットからなる。これらの実施形態のうちのいくつかでは、送信ノードは、グラントメッセージを送信する前に、受信ノードに設定情報を送信し、この設定情報は、サブフレームの末尾から省かれるシンボルの数を指定する。
【００５５】
ＬＴＥとの関連において、ガード期間が、ダウンリンクにおける１つ又はいくつかのＯＦＤＭシンボルをパンクチャーすることによって作成される場合、ｅＮｏｄｅＢは、現在のサブフレームにおいてスケジューリングされているＵＥに制御メッセージを送信することができる。このＵＥ固有のシグナリングにより、シグナリングオーバヘッドの大幅な低減が達成される。このメッセージは、好ましくは、ダウンリンクアサインメントとともに送信されるべきである。一方、このシグナリングが、切り換えが生じるのと同じサブフレームにおいて、エンハンスト物理ダウンリンク制御チャネル（ＥＰＤＣＣＨ）を用いて行われる場合、ＵＥは、自身が、最後の１つ又は複数のＯＦＤＭシンボルが省かれた状態でこのＥＰＤＣＣＨを復号することを想定されているか否かがわかっていない。いくつかの実施形態では、これには、シンボルが省かれていない状態、１つのシンボルが省かれた状態、又はいくつかのシンボルが省かれた状態で、ＥＰＤＣＣＨのブラインド復号を行うことによって対処することができる。
【００５６】
上記で説明し、図１１及び図１２に包括的に例示した方法のうちのいくつかは、受信ノード及び対応する送信ノードにおいて提供される無線回路部及び電子データ処理回路部を用いて実施することができる。受信ノード及び対応する送信ノードは、それぞれ、モバイル端末及び基地局に対応することができる。図１３は、本発明のいくつかの実施形態による、この場合はモバイル端末として実現される、例示的な受信ノード１３００の特徴を示す。ＬＴＥシステムにおける動作のために設定されたＵＥとすることができるモバイル端末１３００は、１つ又は複数の基地局と通信するための送受信機１３２０と、送受信機１３２０によって送信及び受信される信号を処理するための処理回路１３１０とを備える。送受信機１３２０は、１つ又は複数の送信アンテナ１３２８に結合された送信機１３２５と、１つ又は複数の受信アンテナ１３３３に結合された受信機１３３０とを備える。送信及び受信の双方に同じアンテナ１３２８及び１３３３を用いてもよい。受信機１３３０及び送信機１３２５は、通常、ＬＴＥのための３ＧＰＰ規格等の特定の電気通信規格に従って、既知の無線処理及び信号処理コンポーネント及び技法を用いる。そのような回路部の設計及び実装に関連付けられる様々な詳細及び工学的トレードオフは十分知られており、本発明の完全な理解には不要であるため、更なる詳細はここでは示されない。
【００５７】
処理回路１３１０は、データストレージメモリ１３５５及びプログラムストレージメモリ１３６０を含む１つ又は複数のメモリデバイス１３５０に結合された１つ又は複数のプロセッサ１３４０を備える。図１３においてＣＰＵ１３４０として識別されるプロセッサ１３４０は、いくつかの実施形態では、マイクロプロセッサ、マイクロコントローラ又はデジタル信号プロセッサとすることができる。より概略的には、処理回路１３１０は、プロセッサ／ファームウェアの組合せ、若しくは専用デジタルハードウェア、又はこれらの組合せを含むことができる。メモリデバイス１３５０は、読出し専用メモリ（ＲＯＭ）、ランダムアクセスメモリ、キャッシュメモリ、フラッシュメモリデバイス、光学ストレージデバイス等の１つ又はいくつかのタイプのメモリを含むことができる。ここでも、モバイルデバイスのベースバンド処理回路部の設計に関連付けられる様々な詳細及び工学的トレードオフは十分知られており、本発明の完全な理解には不要であるため、更なる詳細はここでは示されない。
【００５８】
処理回路１３１０の通常の機能は、送信信号の変調及びコーディングと、受信信号の復調及び復号とを含む。いくつかの実施形態では、処理回路１３１０は、プログラムストレージメモリ１３６０に記憶された適切なプログラムコードを用いて、例えば、短縮サブフレームを含む受信サブフレームを処理するための上記で説明した技法のうちの１つを実行するように送信機１３２５及び受信機１３３０を制御するように適合される。
【００５９】
したがって、本明細書において説明される様々な実施形態において、処理回路は、上記で詳細に説明した技法のうちの１つ又は複数を実行するように設定される。同様に、他の実施形態は、１つ又は複数のそのような処理回路を含むモバイル端末（例えば、ＬＴＥ  ＵＥ）を含む。いくつかの場合、これらの処理回路は、１つ又は複数の適切なメモリデバイスに記憶された適切なプログラムコードを用いて、本明細書において説明される技法のうちの１つ又は複数を実施するように設定されている。当然ながら、これらの技法の全てのステップが単一のマイクロプロセッサ、又は更には単一のモジュールで実行される必要はないことが理解されよう。
【００６０】
図１３のモバイル端末１３００は、無線通信ネットワークにおいて動作するように設定され、いくつかの機能モジュールを備える無線デバイスの一例として理解することができる。これらの機能モジュールは各々、アナログ及び／又はデジタルハードウェアを用いて実装することもできるし、適切なソフトウェア及び／若しくはファームウェア、又はこれらの組合せにより設定された処理回路を用いて実装することもできる。例えば、いくつかの実施形態において、モバイル端末は、規定されたサブフレーム間隔において生じ、所定の数のシンボル間隔を有するサブフレームにおいてデータを受信するための受信機回路を含む送受信機回路と、受信サブフレームがシンボルの所定の数に対し短縮されると判断する判断回路と、判断回路に応答し、受信サブフレームの処理時に受信サブフレームの末尾の１つ又は複数のシンボルを無視するためのサブフレーム処理回路とを備える。図１１に示した方法に関連した上記で説明したいくつかの変形形態が、ここで説明したモバイル端末の実装に等しく適用可能であることが理解されよう。
【００６１】
図１４は、上記で説明した技法のうちの１つ又は複数を実現する方法を実施することができる、この場合は基地局として実現される例示的な送信ノード１４００の概略図である。本明細書に記載される方法のうちの１つ又は複数を実行するように基地局を制御するためのコンピュータプログラムがコンピュータストレージ１４３０に記憶される。コンピュータストレージ１４３０は、１つ又はいくつかのメモリデバイスを備える。本技法を実現する方法の実行中に用いられるデータは、データストレージ１４２０に記憶され、データストレージ１４２０も１つ又は複数のメモリデバイスを備える。本技法を実現する方法の実行中、プログラムストレージ１４３０からプログラムステップがフェッチされ、中央処理装置（ＣＰＵ）１４１０によって実行される。中央処理装置（ＣＰＵ）１４１０は、データストレージ１４２０からの要求に応じてデータを取得する。本発明を実現する方法の実行の結果得られる出力情報は、データストレージ１４２０に戻して記憶することもできるし、入出力（Ｉ／Ｏ）インタフェース１４４０に送信することもできる。入出力（Ｉ／Ｏ）インタフェース１４４０は、要求に応じて、ＲＮＣ等の他のノードにデータを送信するための送信機を備えることができる。同様に、入出力（Ｉ／Ｏ）インタフェース１４４０は、例えば、ＣＰＵ１４１０によって用いるために、他のノードからデータを受信するための受信機を備えることができる。ＣＰＵ１４１０、データストレージ１４２０及びプログラムストレージ１４３０は併せて処理回路１４６０を構成する。基地局１４００は無線通信回路部１４５０を更に備える。無線通信回路部１４５０は、十分知られている設計及び技法に従って１つ又は複数のモバイル端末と通信するように適合された受信機回路１４５２及び送信機回路１４５５を備える。
【００６２】
本発明のいくつかの実施形態によれば、概して基地局装置１４００、より具体的には無線通信回路部１４５０は、規定されたサブフレーム間隔において生じ、所定の数のシンボル間隔を有するサブフレームにおいてデータを送信するように設定される。処理回路１４６０は、無線通信回路部１４５０において、送信機回路１４５５を介して、サブフレーム短縮情報を含むメッセージを第２の無線ノードに送信するように受信機回路及び送信機回路１４５５を制御するように設定される。サブフレーム短縮情報は、サブフレームが短縮されることを示す。処理回路部１４６０は、サブフレームを送信するときにサブフレームの末尾部分を省くことによって、第２の無線ノードに短縮サブフレームを送信するように送信機回路１４５５を制御するように更に設定される。
【００６３】
したがって、本発明の様々な実施形態において、処理回路は、上記で詳細に説明した技法のうちの１つ又は複数を実行するように設定される。同様に、他の実施形態は、１つ又は複数のそのような処理回路を備える基地局を含む。いくつかの例では、これらの処理回路は、１つ又は複数の適切なメモリデバイスに記憶された適切なプログラムコードを用いて、本明細書において説明される技法のうちの１つ又は複数を実施するように設定される。当然ながら、これらの技法の全てのステップが単一のマイクロプロセッサ、又は更には単一のモジュールで実行される必要はないことが理解されよう。
【００６４】
図１４の基地局１４００は、無線通信ネットワークにおける動作のために設定され、いくつかの機能モジュールを備える無線デバイスの一例として理解することもできる。これらの機能モジュールは各々、アナログ及び／若しくはデジタルハードウェアを用いて実装することもできるし、適切なソフトウェア及び／若しくはファームウェア、又はこれらの組合せにより設定された処理回路を用いて実装することもできる。例えば、いくつかの実施形態では、基地局は、送信機回路と、規定されたサブフレーム間隔において生じ、所定の数のシンボル間隔を有する送信サブフレームにおいてデータを受信するための受信機回路と、送信機回路を介して第２の無線ノードに、サブフレーム短縮情報を含むグラントメッセージを送信するためのグラント送信回路とを含む無線通信回路を備える。サブフレーム短縮情報は、サブフレームが短縮されることを示す。これらの実施形態による基地局は、サブフレームの送信時に、サブフレームの最終部分を省くように送信機回路を制御するためのコントローラ回路を更に備える。図１２に示す方法に関連して上記で説明したいくつかの変形形態は、本明細書において説明した基地局実施態様に等しく適用可能であることが理解されよう。
【００６５】
特定の実施形態の添付の図面を参照して本発明のいくつかの実施形態の例が上記で詳細に説明された。当然ながら、コンポーネント又は技法の考えられる全ての組合せを記載することは不可能であるため、当業者は、本発明の範囲から逸脱することなく、上記で説明した実施形態に対し様々な変更を行うことができることを理解するであろう。例えば、上記の実施形態は、３ＧＰＰネットワークの一部を参照して説明されたが、本発明の一実施形態は、同様の機能コンポーネントを有する３ＧＰＰネットワークの後継版等の同様のネットワークにも適用可能であることが容易に理解されよう。したがって、特に、上記の記載、並びに同封の図面及び任意の添付の特許請求の範囲において現在又は未来に用いられる用語３ＧＰＰ及び関連又は関係する用語はこれに応じて解釈される。
【００６６】
開示される発明の変更形態及び他の実施形態は、上記の説明及び関連する図面に提示される教示の利点を有する当業者には思い浮かぶことに留意されたい。したがって、本発明は開示される特定の実施形態に限定されると理解されるものではなく、変更及び他の実施形態が本開示の範囲内に含まれることが意図されると理解される。本明細書において特定の用語が用いられる場合があるが、これらは一般的で説明な意味においてのみ用いられ、限定を目的としたものではない。
【図１】
2019075797.tif 000003
【図２】
2019075797.tif 000004
【図３】
2019075797.tif 000005
【図４】
2019075797.tif 000006
【図５】
2019075797.tif 000007
【図６】
2019075797.tif 000008
【図７】
2019075797.tif 000009
【図８】
2019075797.tif 000010
【図９】
2019075797.tif 000011
【図１０】
2019075797.tif 000012
【図１１】
2019075797.tif 000013
【図１２】
2019075797.tif 000014
【図１３】
2019075797.tif 000015
【図１４】
2019075797.tif 000016
【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
時分割複信システムのサブフレームにおいて送信ノードからデータを受信するように設定された受信ノードにおける方法（１１００）であって、通常のサブフレームにおいて所定の数のシンボル間隔が利用されており、前記方法は、
前記送信ノードからグラントメッセージが含まれるサブフレームを受信することであって、前記グラントメッセージが、受信された前記サブフレーム内で利用されるシンボル間隔が前記通常のサブフレーム内で利用されるものより少ないということを示す情報を含む、受信することと、
少ないシンボル間隔が利用されるということを示す前記情報に応答して、受信された前記サブフレームを処理するときに、受信された前記サブフレームの末尾の１つ又は複数のシンボルを無視することと、
を含む、方法（１１００）。
【請求項２】
少ないシンボル間隔が利用されるということを示す前記情報は、利用されないシンボル間隔の数を指定し、受信された前記サブフレームの末尾の指定された前記シンボル間隔の数内のシンボルが無視される、請求項１に記載の方法（１１００）。
【請求項３】
前記グラントメッセージが、受信された前記サブフレームの先頭部分に含まれている、請求項１又は２に記載の方法（１１００）。
【請求項４】
時分割複信システムのサブフレームにおいて受信ノードにデータを送信するように設定された送信ノードにおける方法（１２００）であって、通常のサブフレームにおいて所定の数のシンボル間隔が利用されており、前記方法は、
サブフレームを前記受信ノードに送信すること（１２２０）であって、前記サブフレームの末尾のシンボル間隔が利用されず、前記サブフレームは、送信された前記サブフレーム内で利用されるシンボル間隔が、前記通常のサブフレームより少ないということを示す情報を含むグラントメッセージを含む、送信するステップと、
を含む、方法（１２００）。
【請求項５】
少ないシンボル間隔が利用されるということを示す前記情報は、前記サブフレームの末尾の利用されないシンボル間隔の数を指定する、請求項４に記載の方法（１２００）。
【請求項６】
前記グラントメッセージが、前記サブフレームの先頭部分に含まれている、請求項４又は５に記載の方法（１２００）。
【請求項７】
時分割複信システムのサブフレームにおいて送信ノードからデータを受信するように設定された受信機回路（１３３０）を備える受信ノード（１３００）であって、通常のサブフレームにおいて所定の数のシンボル間隔が利用されており、前記受信機回路（１３３０）を制御し、前記送信ノードから受信したサブフレームを処理するように設定された処理回路（１３１０）を更に備える、受信ノード（１３００）であって、前記処理回路（１３１０）が、
前記受信機回路（１３３０）を介して前記送信ノードからグラントメッセージが含まれるサブフレームを受信することであって、前記グラントメッセージが、受信された前記サブフレーム内で利用されるシンボル間隔が前記通常のサブフレーム内で利用されるものより少ないということを示す情報を含む、受信することと、
少ないシンボル間隔が利用されるということを示す前記情報に応答して、受信された前記サブフレームを処理するときに受信された前記サブフレームの末尾の１つ又は複数のシンボルを無視する
ように更に設定されている、受信ノード（１３００）。
【請求項８】
少ないシンボル間隔が利用されるということを示す前記情報は、利用されないシンボル間隔の数を指定し、前記処理回路（１３１０）が、受信された前記サブフレームの末尾の指定された前記シンボル間隔の数内のシンボルを無視するように更に構成されている、請求項７に記載の受信ノード（１３００）。
【請求項９】
前記グラントメッセージが、受信された前記サブフレームの先頭部分に含まれている、請求項７又は８に記載の受信ノード（１３００）。
【請求項１０】
時分割複信システムのサブフレームにおいて受信ノードにデータを送信するように設定された送信機回路（１４５５）を備える送信ノード（１４００）であって、通常のサブフレームにおいて所定の数のシンボル間隔が利用されており、前記送信機回路（１４５５）を制御するように設定された処理回路（１４６０）を更に備える、送信ノード（１４００）であって、前記処理回路（１４６０）が、
前記送信機回路を介してサブフレームを前記受信ノードに送信することであって、前記サブフレームの末尾のシンボル間隔が利用されず、前記サブフレームは、前記サブフレーム内で利用されるシンボル間隔が前記通常のサブフレーム内で利用されるものより少ないということを示す情報を含む、グラントメッセージを含む、
ように更に設定されている、送信ノード（１４００）。
【請求項１１】
少ないシンボル間隔が利用されるということを示す前記情報は、前記サブフレームの末尾の利用されないシンボル間隔の数を指定する、請求項１０に記載の送信ノード（１４００）。
【請求項１２】
前記グラントメッセージが、前記サブフレームの先頭部分に含まれている、請求項１０又は１１に記載の送信ノード（１４００）。
【請求項１３】
時分割複信システムのサブフレームにおいて送信ノードからデータを受信するように設定された受信ノードのためのコンピュータプログラムであって、通常のサブフレームにおいて所定の数のシンボル間隔が利用されており、前記受信ノードによって実行されると、前記受信ノードに、
前記送信ノードからグラントメッセージが含まれるサブフレームを受信することであって、前記グラントメッセージが、受信された前記サブフレーム内で利用されるシンボル間隔が前記通常のサブフレーム内で利用されるものより少ないということを示す情報を含む、受信するステップと、
少ないシンボル間隔が利用されるということを示す前記情報に応答して、受信された前記サブフレームを処理するときに、受信された前記サブフレームの末尾の１つ又は複数のシンボルを無視するステップと、
を実行させるコンピュータプログラムコードを含む、コンピュータプログラム。
【請求項１４】
時分割複信システムのサブフレームにおいて受信ノードにデータを送信するように設定された送信ノードのためのコンピュータプログラムであって、通常のサブフレームにおいて所定の数のシンボル間隔が利用されており、前記送信ノードによって実行されると、前記送信ノードに、
サブフレームを前記受信ノードに送信するステップであって、前記サブフレームの末尾のシンボル間隔が利用されず、前記サブフレームは、送信された前記サブフレーム内で利用されるシンボル間隔が前記通常のサブフレームより少ないということを示す情報を含むグラントメッセージを含む、送信するステップと、
を実行させるコンピュータプログラムコードを含む、コンピュータプログラム。
【外国語明細書】
2019075797000001.pdf